(57)【要約】【目的】注湯口を挟んで左右の支持脚片を一体に有する支持板を中央折曲げ線で２つに折曲げ格納状態にするコーヒーの濾過器において、使用に当って前記左右の支持脚片を立ち上げコーヒーカップ上に支持するとき前記中央折曲げ線により前記注湯口が縮小するのを回避する。【構成】左右の支持脚片（６，６）の脚端部（７）に内側狭持片（９）と外側狭持片（１０）を備える支持板（２）には中央折曲げ線（１３）を挟んで該折曲げ線と注湯口（５）の縁部（５ａ）との交点を基点（１６）にして前記支持脚片の脚端部（７）に向けてＶ字形をなす折曲げ誘導線（１５）を形成し、カップの縁に前記内外の狭持片（９，１０）を添わせ内外から狭持するとき内側狭持片（９）の内側への撓込みに併せて前記折り曲げ誘導線（１５）を境界に前記支持脚片の部分（６ａ）を内側に窪ませて前記基点（１６）を隆起させ、これにより前記注湯口（５）を外に引き出し縮小を回避する。【選択図】図１
2008178571.tif 000002
【特許請求の範囲】
【請求項１】
横長長方形状の支持板の中央部に注湯口を開設し、この注湯口を挟む左右の板部分を左右の支持脚片にすると共に、それぞれの支持脚片の各脚端部近くに切抜き部を形成して舌状の内側狭持片と外側狭持片とを形成する一方、前記左右の支持脚片を含む前記支持板の背面部に前記注湯口を囲撓して所要量のコーヒー粉末を封入する濾紙袋を貼着してなるものであって、不使用時には前記左右の支持脚片の中央部を通って前記脚端部間に亘る直線状の中央折曲げ線に沿って２つ折りになり前記濾紙袋を挟み込む一方、使用時には前記支持板を偏平に展開して更に前記左右の支持脚片を各基端部を基点に門形に折曲げ相対立させると共に、各脚端部に形成する前記内外の狭持片によりカップの縁部を狭持し、立ち上り状にセットできるようにしてなるコーヒーの濾過器において、
前記左右の支持脚片には前記中央折曲げ線の前記注湯口に臨む一端部を基点にしてそれぞれ脚端部に向けてＶ字形となる折曲げ誘導線を形成し、前記使用時に前記内側狭持片を内方に撓めて窪ませるのに伴わせて該折曲げ誘導線を境界にして前記基点を外方に膨らませ、これにより前記注湯口の縁部を外に向けて拡張するようにしてなることを特徴としたコーヒーの濾過器。
【請求項２】
請求項１に記載のコーヒーの濾過器において、各支持脚片に形成するＶ字形の折曲げ誘導線は基点から脚端部に向けて直線状であることを特徴としたコーヒーの濾過器。
【請求項３】
請求項１に記載のコーヒーの濾過器において、各支持脚片に形成するＶ字形の折曲げ誘導線は緩く弧状を呈する曲線であることを特徴としたコーヒーの濾過器。
【請求項４】
請求項１乃至３に記載のコーヒーの濾過器において、各支持脚片に形成するＶ字形の折曲げ誘導線は基点から延びて脚端部側の端部を切抜き部の両端部に向けて形成してなることを特徴としたコーヒーの濾過器。
【請求項５】
請求項１乃至４に記載のコーヒーの濾過器において、各支持脚片に形成するＶ字形の折曲げ誘導線は型押しによって形成することを特徴としたコーヒーの濾過器。
【請求項６】
請求項１乃至４に記載のコーヒーの濾過器において、各支持脚片に形成されるＶ字形の折曲げ誘導線は線の一部に切込み部を有することを特徴としたコーヒーの濾過器。
【発明の詳細な説明】
【技術分野】
【０００１】
本発明は、コーヒーの濾過器に関し、更に詳しくは一度の使用によって捨てられる使い捨てに係るコーヒーの濾過器に関する。
【背景技術】
【０００２】
使い捨てに係るコーヒーの濾過器については既に多数の提案があり、多く市販され、実用化されてもいる。そして、この使い捨てのコーヒーの濾過器にも各種のタイプがある。  これらの代表的なものとしてコーヒーカップ上に載置し、フィルタ（濾紙袋）を宙吊り状に支持してフィルタ内に収容するコーヒー粉末に湯を注ぐことによってコーヒー液を抽出し、直接コーヒーカップに滴下させるもの、或はコーヒー粉末を収容したフィルタをコーヒーカップに収め、カップの縁に掛け止めてこの状態でフィルタ内に湯を注ぎ込むことでコーヒー液を抽出し、カップ内にコーヒー液を溜めた後フィルタを引き上げるタイプのものがある。  
【０００３】
上記前者は、所謂ドリッパー型に係る濾過器であり、後者は浸漬型、どぶ漬け型の濾過器である。
上記ドリッパー型の濾過器は袋形のフィルタに収容するコーヒー粉末に湯を注ぎ、湯がフィルタ内を通過する間にコーヒー成分を抽出する構造に係ることから必要以上にコーヒー粉末と湯との接触を回避することができ、不要な苦味成分の抽出を抑えることができると言った侵漬型の濾過器には期待できない効果があり、良好な濾過器となっている。
例えば、この様なドリッパー型の濾過器として特許文献１，２に開示されるものがある。  
【特許文献１】特公昭５９−  ３０４１１号公報。
【特許文献２】実公昭６０−    ７６２２号公報。
【０００４】
さて、特許文献１に記載のコーヒーの濾過器２は、支持板４に一体に貼着する濾紙袋５に収容するコーヒー粉末３が酸化し、劣化するのを防止するため、折りたゝんだ状態で包装袋１に格納し、これを密封するものとなっている。
この包装袋に格納するに当って濾過器２を折りたゝむことは、包装袋自体を小型化して商品として取扱う場合容易にし、また支持板４を折りたゝんでその間にコーヒー粉末を封入した濾紙袋５を挟み込むことによって外部からの衝撃に備えるものとなるが、特に上記包装形態を小型化することは商品化する上で重要であり、そのため機能を損ねない範囲での折りたゝみは不可欠の条件となっている。
【０００５】
この折りたゝみを前記特許文献１についてみると、支持板４は中央部に開口部７を設け、その左右に対称形に一対の支持脚片１０，１０を設けるものにして、この支持板４の中心部に二つ折りに畳む基線となる中心線１１（折曲げ線）を配置し、この中心線１１を以て二つに折り曲げ、この支持板４の背面に接着し組付けるコーヒー粉末３入りの濾紙袋５を挟み付ける構造にしている。
そして、この濾過器２は使用する際には封入する包装袋１から引き出し、折りたゝみを開いて偏平にしたのち、支持板４の左右の支持脚片１０，１０を門形に立ち上げ、これらの縁部（脚端部）に形成する内外の片１８，１９をコーヒーカップ１７の縁に内外から添わせて狭持するようにして掛け止め、これによって開口部７を上向きの状態でセットして湯の注入に備えるものとしている。
【発明の開示】
【発明が解決しようとする課題】
【０００６】
この門形にした状態でカップ上にセットし、コーヒー液を抽出するタイプのドリップ式濾過器は、極めてシンプルな構造に係り、それでいて最もドリップ式の濾過器の特徴を備えたものとなっているが、この濾過器における一つの問題は、シート状の厚紙素材を支持板４にして、この支持板の中央部に開設する開口部７を濾紙袋に注湯するときの注湯口としなければならないこと、つまり支持板４の限られた範囲の中に開口部７を開設することから設計上濾紙製の開口部を大型化して注湯し易いものとしても上記開口部７の広さに制限され拡張が困難になることにある。
【０００７】
この問題は、濾過器が折りたゝみに当って中心線１１を基準に二つ折りに曲げられること、そして使用時にはコーヒーカップ上にセットする際に各支持脚片１０，１０に設ける内方の片１８（舌状の係入片２２）を内側に押し込んでカップの内側に差し入れることから、これに伴って左右の支持脚片１０，１０の各中央部が内側に窪み、この窪みに引き込まれて開口部７の縁が内側に押されて開口幅が縮小することにある。
この開口幅の縮小は、前記中心線１１を設けた部分が折曲げによって弱化し、反発力を失うと同時に、逆向きにも折り曲げ易くなっていることから、この中心線１１と開口部７の縁が交錯する部所が中心になって進行し、開口幅を狭めることになるからである。
【０００８】
そこで本発明は、上記の実情に鑑みこれを改善するため開発されたものであり、特に濾過器を二つ折りに折りたゝむため支持板の中心、更に言えば左右の支持脚片の各中心部を通して形成される中心線と、支持板の中心部に開設する注湯口となる開口部の縁との交点を基点にして進行する支持脚片の中心部分の内方への撓み込みを解消し、この撓み込みによる上記注湯口の縮小を改善すること、更には上記基点となる中心線と開口部の縁との交点部分に当る支持脚片の部分を外側に押し開き、これによって開口部を実質的に拡張させて湯の注ぎ込みを容易にした使い捨て型に係るコーヒーの濾過器を提供しようとするものである。  
【課題を解決するための手段】
【０００９】
本発明は、上記目的を達成するため、注湯口となる開口部を中央部に開設し、この開口部を挟んで左右対称に支持脚片を設けてなる支持板に該支持板を２つに折りたゝむため形成する中心線、つまり中央折り曲げ線に対して、これを挟むようにしてＶ字形の折曲げ誘導線を形成するもので、この誘導線を利用して上記支持脚片の脚端部に形成する内側狭持片をコーヒーカップの縁の内側に係止させるため内方に押込んだとき前記開口部、即ち注湯口の縁部を外に引き出して、その開口幅を拡張させ、コーヒー粉末を収容する濾過器に対して湯の注ぎ込みを容易にしたコーヒーの濾過器を提供することにある。
【００１０】
更に本発明を詳述すると、この発明は、横長長方形状の支持板の中央部に注湯口を開設し、この注湯口を挟む左右の板部分を左右の支持脚片にすると共に、それぞれの支持脚片の各脚端部近くに切抜き部を形成して舌状の内側狭持片と外側狭持片とを形成する一方、前記左右の支持脚片を含む前記支持板の背面部に前記注湯口を囲撓して所要量のコーヒー粉末を封入する濾紙袋を貼着してなるものであって、不使用時には前記左右の支持脚片の中央部を通って前記脚端部間に亘る直線状の中央折曲げ線に沿って２つ折りになり前記濾紙袋を挟み込む一方、使用時には前記支持板を偏平に展開して更に前記左右の支持脚片を各基端部を基点に門形に折曲げ相対立させると共に、各脚端部に形成する前記内外の狭持片によりカップの縁部を狭持し、立ち上り状にセットできるようにしてなるコーヒーの濾過器において、前記左右の支持脚片には前記中央折曲げ線の前記注湯口に臨む一端部を基点にしてそれぞれ脚端部に向けてＶ字形となる折曲げ誘導線を形成し、前記使用時に前記内側狭持片を内方に撓めて窪ませるのに伴わせて該折曲げ誘導線を境界にして前記基点を外方に膨らませ、これにより前記注湯口の縁部を外に向けて拡張するようにしてなることを特徴としたコーヒーの濾過器を提供することにある。
【００１１】
また本発明は、前記各支持脚片に形成するＶ字形の折曲げ誘導線は基点から脚端部に向けて直線状であることを特徴としたコーヒーの濾過器を提供することにある。
【００１２】
また本発明は、前記各支持脚片に形成するＶ字形の折曲げ誘導線は緩く弧状を呈する曲線であることを特徴としたコーヒーの濾過器を提供することにある。
【００１３】
また本発明は、前記各支持脚片に形成するＶ字形の折曲げ誘導線は基点から延びて脚端部側の端部を切抜き部の両端部に向けて形成してなることを特徴としたコーヒーの濾過器を提供することにある。
【００１４】
また本発明は、前記各支持脚片に形成するＶ字形の折曲げ誘導線は型押しによって形成することを特徴としたコーヒーの濾過器を提供することにある。
【００１５】
また更に本発明は、前記各支持脚片に形成されるＶ字形の折曲げ誘導線は線の一部に切込み部を有することを特徴としたコーヒーの濾過器を提供することにある。
【００１６】
上記本発明において、前記折曲げ誘導線は、濾過器をコーヒーカップ上にセットするとき、支持脚片に設ける内側狭持片をカップの内側に差し入れるため支持脚片の背面側、つまり内側方向に起すとき、この折曲げ誘導線を境にして内側狭持片の上方に当る支持脚片の部分について、これを背面側に窪ませるものであり、またこの窪みに反して上記誘導線の外側（側方）に当る支持脚片の部分、つまり前記外側狭持片に連繋する部分を表面側に膨らませるものとなる。
【００１７】
つまり、この折曲げ誘導線は、舌状の内側狭持片を内側（背面側）に向けて起すとき、偏平な板状をなす支持脚片をこの誘導線を基点にして折曲げるようにして、内側狭持片と、この狭持片に続くその上方の部分を内側（背面側）に、そして外側に引き出される外側狭持片と、この狭持片に続く誘導線の前後の側、つまり側方の部分を外側（表面側）に膨らむようにして偏平な状態にある支持脚片を内外に凹凸化して立体化するのである。そして、本発明においては、この立体化を利用して上記外側狭持片に続く支持脚片の部分の外側への膨らみに伴わせて折曲げ誘導線のＶ字形の基点となる注湯口の縁部を外側に引き出すように付勢し、これにより実質的に注湯口を拡張させるのである。
【００１８】
前記従来の濾過器（特許文献１）の場合、舌状の係入片（内側狭持片）を切起すため内側に押込むと、これに伴って支持脚片の略全体が内側に撓んでこの撓みに引きづられて支持脚片の上部に位置する開口部（注湯口）の縁部も内側に押出されることになり、実質的に開口部を縮小させることになったが、本発明はこの舌状の内側狭持片を切起すとき、Ｖ字形に形成する折曲げ誘導線によって囲まれる部分、つまり内側狭持片の上部に当る部分だけを押込むことにしてその他の部分の押込みを回避し、同時に、この押込みの歪みを利用して逆にその他の部分を外に向って膨らませ、これにより前記注湯口となる開口部の縁部を外に引き出すことにしたのである。
【００１９】
この折曲げ誘導線は、前述の通り各支持脚片をそれぞれ二つに折曲げる中央折曲げ線と注湯口となる開口部の縁部とが交わる部所を基点に各支持脚片の脚端部に向けてＶ字形をなすように配置される２本の誘導線によって形成される。
そして、前記の通りこの折曲げ誘導線は、直線状である場合と、緩い曲線によって形成される場合とがある。
また、この折曲げ誘導線は、前記した様に舌状の内側狭持片を内向きに押込み撓めるために配置されることから、この撓み込みを誘導する領域についてこれを囲み込める範囲について形成されることになる。
これを更に詳述すれば、前記注湯口の開口縁部に置かれる中心折曲げ線との交錯部分を基点にして脚端部側の端が舌状の内側狭持片を切起す切抜き部分の端部に達するものであるとよい。更に言えば、上記基点から切抜き部の端部に至る途中の位置に折曲げ誘導線の端部があってもよい。
【００２０】
上記構成に係る本発明濾過器は、保管の上から包装袋に封入し格納されることになる。そして、不使用の状態にあるときには中央折曲げ線を中心にして左右の支持脚片をそれぞれ２つに折り曲げ、間に背面側に一体に備えるコーヒー粉末を封入した濾紙袋を挟み込むことになる。そして、使用に当っては上記包装袋から取出すと共に、２つに折り曲げた左右の支持脚片を偏平に開き、次に、この左右の支持脚片を注湯口に臨む上端部を基点に門形に折り曲げ、相対立状に立ち上げ、次にこれらの支持脚片に設ける内側狭持片を支持脚片の外側（表面側）から押込んで裏側に起し、この状態を維持しながらこの内側狭持片をコーヒーカップの縁部の内側に持ち込むと共に、外側狭持片をカップの縁部の外側に添わせて、この両片によってカップの縁部を内外から狭持し、カップに対する濾過器の装着、即ちセット作業を完了することになる。
【００２１】
このセット作業において、舌状の内側狭持片の内側に向けての押込みによって前記折曲げ誘導線を境界にして、この内側狭持片とその上方の支持脚片の部分が内側（背面側）に窪み、これに合せてその他の部分が外に向けて膨らみ、これに伴って注湯口の縁部が外に拡張して広く口を開くことになる。
この注湯口の拡張状態は、内側狭持片がカップの縁部の内側に係止されることによって維持されることになり、湯を注ぎ込む間、拡張状態が保持されることになる。
【発明の効果】
【００２２】
従って、以上のことから明らかなように、本発明によれば使用に当ってのセット作業において、内側狭持片の内側方向への押込みに伴わせて注湯口の縁部を外に押し出し拡張できるものとしたことから、湯の注ぎ込みが容易になり、コーヒーカップの周囲に湯を溢して危険な状態となるのを未然に解消することができる。  
【発明を実施するための最良の形態】
【００２３】
次に本発明に係るコーヒーの濾過器について、図示する実施例に基づき説明することにする。
図面の図１〜図９は本発明に係るコーヒーの濾過器の一形態を示す第１の実施例であり、図１０，図１１は第２，第３の実施例である。以下、本発明をこれらの実施例に基づき詳述し、その特徴とするところを明らかにする。
【実施例１】
【００２４】
図面においては、１は濾過器であり、２は濾過器の主体となる支持板であり、３はこの支持板２に一体に組付けられるコーヒー粉末４を封入する濾紙袋である。
【００２５】
支持板２は、図示するように横長長方形状をなす厚紙を素材にして形成してあり、その中央部には注湯口５となる開口部を備え、この注湯口５を挟む左右の部分を支持脚片６，６としている。つまり、ここにおける上記支持板２は、注湯口５と左右の支持脚片６，６を一体に備えたものになっているのである。
そして、上記各支持脚片６，６は脚端部７，７の近くには幅方向（図１において、上下方向。尚、説明の上で「上」は支持板２における後方であり、「下」は前方である。従って、支持板２の前後は図１における下と上である。）に沿って切抜き部８，８を設けて支持脚片６，６の中に舌状の内側狭持片９，９を形成し、且つ同時にこの脚端部７，７を外側狭持片１０，１０としている。
【００２６】
尚、上記横長の支持板２は、注湯口５と、この注湯口５を挟んで左右の支持脚片６，６を形成することから横の長さ方向にこれらを形成するに充分な幅を備えるようにすると共に、前後方向（図１において上下方向）には支持脚片６，６を後述するようにコーヒーカップ１１の縁部１１ａの上にセットしたとき、前後方向に転倒しない幅となるように左右、そして前後方向の幅が決められることになる。
【００２７】
ところで、図面において舌状の内側狭持片９，９を形成する上記切抜き部８，８は内側狭持片９，９の先端部において外側狭持片１０，１０と繋がっているが、ここには切込みが入って分離してあり、内側狭持片９は単独で動けるようにしてある。そして、この内側狭持片９によって前後に分けられ、穴状となった部分の直線状の縁１２，１２は後述する如くコーヒーカップ１１上に載置するとき、このカップの縁部１１ａを受ける当接部となり、カップ上に濾過器１を垂直に支持することになる。
【００２８】
図中１３は、上記支持板２を２つ折りに折りたゝむとき、その折曲げの基準となる中央折曲げ線であり、１４は左右の支持脚片６，６を門形に折り曲げるとき基準となる折曲げ線である。１５は前記内側狭持片９，９を支持脚片６，６に対して内側、つまり背面側に向って押込み、起すときに使われる折曲げ誘導線である。
【００２９】
中央折曲げ線１３は支持板２の前後方向の中央部にあって左右の支持脚片６，６の各脚端部７，７に抜ける直線に沿って形成してあり、左右の支持脚片６，６はこの折曲げ線１３によって前後に２分されると共に、この折曲げ線１３を中心にして２分した部分の背面同士を向き合せて２つ折りに折り曲げることができるようにしてある。
【００３０】
また、折曲げ線１４は、注湯口５の対向する縁部５ａ，５ａの延長線上に沿うように注湯口５の隅部から支持板２の前後の縁部２ａ，２ａに向けて横断するように形成してあり、濾過器１の使用に当って左右の支持脚片６，６を門形に組立てるとき、この折曲げの基点を構成するものとなる。
【００３１】
一方、折曲げ誘導線１５は、各支持脚片６，６に切抜き形成される内側狭持片９を内側方向に向けて押込むとき、偏平な状態にある支持脚片６，６の一部６ａ，６ａをこの押込みに合せて背面側に窪ませるのを誘導するものであり、上記押込みによって支持脚片の全体が押込み方向、つまり背面側に押込まれて支持脚片の上方に位置する注湯口５の縁部５ａが内向き方向に移動し、注湯口５の開口面積が縮小するのを回避するため作用する。
【００３２】
この折曲げ誘導線１５を更に詳述すると、それぞれの支持脚片６，６において、前記支持板２の中心部に沿って長さ方向に縦断する中央折曲げ線１３と前記注湯口５の縁部５ａとが交わる部分に基点１６，１６を置き、これより各支持脚片の脚端部７，７の方向に向ってＶ字形に２本の折曲げ線を配置することによって形成してある。
【００３３】
この実施例において、上記Ｖ字形に分れる２本の折曲げ線は、その各端部を前記切抜き部８，８の前後の端部に達するようにしてあり、折曲げ誘導線１５がこの切抜き部８と組合って各支持脚片６，６の中に二等辺三角形を形成するようにしてある。つまり、ここでは舌状に形成される内側狭持片９を中心にして、この狭持片９の上部に当る支持脚片６の部分６ａと、その他の部分とを区分けして内側狭持片９が背面方向に押込まれたとき、この折曲げ誘導線１５によって囲まれる上記部分６ａがこの誘導線１５を境にして窪むようにしてあるのである。
【００３４】
次に、前記濾紙袋３については、前後の袋片３ａ，３ａによって袋部を形成しており、この中にコーヒー粉末４を収めるようにしてある。そして、各袋片３ａ，３ａの上縁部を開口部とし、常にはこの上縁部同士を剥離可能に接合する（図面では僅かな間隔を開けて説明している。）ことによって上記コーヒー粉末４を封入した状態に保持するようにしてある。
この濾紙袋３は、袋片３ａ，３ａの上縁部から延設する取付片１７，１７の周縁部１７ａ，１７ａを支持板２の背面部に貼着して一体に組付け、濾過器１を構成している。
【００３５】
上記構成される濾過器１は、不使用の状態にあるとき、図２，図３に示したように中央折曲げ線１３を中心に左右の支持脚片６，６を２つに折曲げて、この間に支持板２の背面に止着する濾紙袋３を挟み込み、折りたゝんだ状態に置かれる。この状態で図示しない気密性の包装袋に収納保管され、商品として陳列される等取扱われることになる。
【００３６】
一方、使用に当っては、包装袋からの取出した後、２つ折り状態を偏平に開き、次に閉じられた濾紙袋３の口を開き、次に左右の支持脚片６，６をその折曲げ線１４，１４を基点に折曲げて門形に組むことになる。そして、次にこれらの支持脚片６，６に備える内側狭持片９を背面方向、つまり内側に押込んで支持脚片の内側に起し、外側狭持片１０との間に間隔を作ったところでコーヒーカップ１１の縁部１１ａに臨ませ、この内側狭持片９をカップ１１の内側に侵入させるのである。
【００３７】
内側狭持片９は、コーヒーカップ１１の内側に入ったところで厚紙の復元力によりこの内側面を押圧することになり、外側狭持片１０と協同して狭持することになる。同時に切抜き部８の縁１２がカップ１１の縁部１１ａに当接することになることから左右の支持脚片６，６はコーヒーカップ１１上に安定した形で載置されることになる。
【００３８】
図５〜図９は上記濾過器１をコーヒーカップ１１上に載置し、セットした状態を示したものである。図５は正面図を、図６は右側面図を、図７は平面図を示し、図８は図５のＢ−Ｂ断面図、図９は図６のＣ−Ｃ断面図を示している。
この濾過器１のコーヒーカップ１１に対する載置に当り、前述のように内側狭持片９を押し込むと、これに伴って偏平な状態にある支持脚片６が全体的に押し込まれることになるが、本発明濾過器においては前記折曲げ誘導線１５によって囲まれた部分、つまり内側狭持片９の基端に当たる部分６ａがこの折曲げ誘導線１５を境にして押込まれることになり、ここに窪みを形成しながら内側狭持片９を背面側に起すことになる。
【００３９】
そして、このとき上記窪みの形成に当たって折曲げ誘導線１５に囲まれた二等辺三角形状の部分６ａは、その中心を通る中央折曲げ線１３を前記２つ折りに折りたゝむときとは逆方向に折曲げるようにして押込まれ、窪みを形成することになる。
図７及び図８にこの窪みの状態が示されるが、部分６ａがこの様な窪みを形成することによって支持脚片６全体の背面側への押込みが回避されることになり、同時に折曲げ誘導線１５の外に位置する部分が支持脚片６を折曲げ線１４を境に折曲げるとき厚紙素材の反発を受けて外に広がろうとする力が作用することから、外側に向けて膨らむことになる。
この膨らみは注湯口５の縁部５ａに設けられる基点１６に及び、この結果、縁部５ａの中心部分が外に広げられ、注湯口５の開口を押広げて拡張させることになるのである。
【００４０】
この様に本発明濾過器は、コーヒーカップ上にセットするとき、内側狭持片９を起すため、これを支持脚片６の背面側に向けて押込むと折曲げ誘導線１５によって注湯口５が拡張し、この状態は内側狭持片９がカップの縁部１１ａの内側にある間保持されることから湯の注ぎ込みが容易になる。
【００４１】
勿論、注湯口５の開口面積は理論的には自由に設計することができるものであるが、濾過器は通常使用されるコーヒーカップの大きさを対象にして設計されるものであり、任意に大きさを決定できるものではない。従って、許容される大きさの範囲で設計される濾過器の中でこれに開設される注湯口５の使用時における縮小変化を回避して、逆に拡張方向に変化させることは安全な使用を実現する上で極めて有利なこととなる。
【実施例２】
【００４２】
図１０は本発明に係るコーヒーの濾過器の第２の実施例を示す支持板の展開した状態の平面図である。尚、図面において前記第１の実施例と同一の部所については同一の符号を付してその説明を省略する。後述する実施例についても同様とする。
この実施例は支持脚片６，６に形成するＶ字形の折曲げ誘導線２０，２０の各２本の折曲げ線を基点１６から切抜き部８の端部に向けて緩くＳ字形の曲線となるようにした例である。
【００４３】
上記折曲げ誘導線２０は２本の線が曲線を程しているが、全体としてはＶ字形に沿っており、支持脚片６上に略二等辺三角形状の部分６ａを形成することになる。
この誘導線２０を緩くＳ字形に蛇行する曲線としたことによって奏せられる効果の理由を具体的に説明することができないが、前記第１の実施例の場合の直線とした場合に比較して、実験の結果では基点１６を中心とした注湯口５の縁部５ａの外への拡張は大きく、注湯口５の拡張が一層明確なものとなったことを確認している。
【実施例３】
【００４４】
次に、図１１は上記第２の実施例における折曲げ誘導線２０に代えて、Ｖ字形に配置される折曲げ誘導線２１，２１の各２本の折曲げ線を外側（中央折曲げ線１３を中心にしたときこれより離れる方向）に緩く膨らむ弧状の曲線とした場合である。
ここに形成する弧状の曲線に係る折曲げ誘導線２１は、前記第２の実施例の折曲げ誘導線２０と同様に直線的な折曲げ誘導線１５に比較して内側狭持片９を内側に向けて押込んだとき、基点１６を外に向けて引き出し、注湯口５の開口を大きく開く効果を挙げるものとなった。
【００４５】
以上、本発明を各実施例に基づき詳述したが、本発明濾過器は左右の支持脚片６，６に対して折曲げの基準となる折曲げ誘導線１５，２０，２１を前記所定の位置に形成することにより、内側狭持片９の押込みによる立ち上げに際して注湯口５の縁部５ａを内側に押し入れて開口幅を狭めると言った問題を容易に解消することができる利点がある。
しかも、この折曲げ誘導線の形成は支持板２の切出し形成するに際して線に沿って素材の厚紙を押圧することで簡単に形成することができるので実施が極めて容易である。勿論、この折曲げ誘導線については押圧によって形成する外、ミシン目状に切り込みを入れて形成することもある。  
【図面の簡単な説明】
【００４６】
【図１】支持板を展開した状態の平面図。
【図２】支持板を２つ折りにした状態の正面図。
【図３】支持板を２つ折りにした状態の斜視図。
【図４】図１のＡ−Ａ断面図。
【図５】コーヒーカップにセットした使用状態の正面図。
【図６】コーヒーカップにセットした使用状態の右側面図。
【図７】コーヒーカップにセットした使用状態の平面図。
【図８】図５のＢ−Ｂ断面図。
【図９】図６のＣ−Ｃ断面図。
【図１０】他の実施例における支持板の展開した状態の平面図。
【図１１】他の実施例における支持板の展開した状態の平面図である。
【符号の説明】
【００４７】
１            濾過器
２            支持板
３            濾紙袋
４            コーヒー粉末
５            注湯口
５ａ          注湯口の縁部
６            支持脚片
６ａ          折曲げ誘導線によって囲まれる支持脚片の部分
７            支持脚片の脚端部
８            切抜き部
９            内側狭持片  
１０          外側狭持片      
１１          コーヒーカップ
１１ａ        コーヒーカップの縁部
１２          切抜き部の縁
１３          中央折曲げ線
１４          折曲げ線
１５，２０，２１    折曲げ誘導線
１６          基点
１７          濾紙袋の取付片
【図１】
2008178571.tif 000003
【図２】
2008178571.tif 000004
【図３】
2008178571.tif 000005
【図４】
2008178571.tif 000006
【図５】
2008178571.tif 000007
【図６】
2008178571.tif 000008
【図７】
2008178571.tif 000009
【図８】
2008178571.tif 000010
【図９】
2008178571.tif 000011
【図１０】
2008178571.tif 000012
【図１１】
2008178571.tif 000013